(57)【特許請求の範囲】
【請求項１】
基板に対して露出する端子を千鳥状に設け、コネクタに基板の両側部が案内されて挿入されるプリント基板であって、
前記基板の先端部に向かって第一の幅部、この第一の幅部より幅広とした幅広部、この幅広部より幅狭で前記第一の幅部と同幅とした幅狭部の順で連続される第一の端子と、
この第一の端子の前記第一の幅部、幅広部、幅狭部に隣り合って形成され、前記基板の先端部に向かって幅広部、幅狭部、幅広部の順で連続する第二の端子と、を前記基板の幅方向に同ピッチで交互に配置して備え、
前記基板の先端部側に、前記基板を幅方向に沿って切断する位置を示す切断位置指示部を有することを特徴とするプリント基板。
【請求項２】
前記切断位置指示部は、前記基板の側部を切り欠いて設けられることを特徴とする請求項１に記載のプリント基板。
【請求項３】
請求項１又は２に記載のプリント基板を備えることを特徴とする電子機器。
【発明の詳細な説明】
【技術分野】
【０００１】
本発明は、端子を千鳥状に設けたプリント基板と、そのプリント基板を備える電子機器に関する。
【背景技術】
【０００２】
コネクタ端子部の幅広部及び幅狭部からなる複数のパターンランドを千鳥状に配置したフレキシブルプリント基板が特許文献１に開示される。
【特許文献１】特開２００７−８７９９９号公報
【発明の開示】
【発明が解決しようとする課題】
【０００３】
しかし、特許文献１のように、複数のパターンランドを千鳥状に配置する場合、設計時点で千鳥状の端子、すなわち、幅広部や幅狭部の位置を間違えてしまうと、その設計で生産したプリント基板は全て使えなくなってしまう。
【０００４】
本発明の課題は、端子を千鳥状に設けたプリント基板において、設計ミスが発生した際にも対処できるようにすることである。
【課題を解決するための手段】
【０００５】
以上の課題を解決するため、請求項１に記載の発明は、基板に対して露出する端子を千鳥状に設け、コネクタに基板の両側部が案内されて挿入されるプリント基板であって、前記基板の先端部に向かって第一の幅部、この第一の幅部より幅広とした幅広部、この幅広部より幅狭で前記第一の幅部と同幅とした幅狭部の順で連続される第一の端子と、この第一の端子の前記第一の幅部、幅広部、幅狭部に隣り合って形成され、前記基板の先端部に向かって幅広部、幅狭部、幅広部の順で連続する第二の端子と、を前記基板の幅方向に同ピッチで交互に配置して備え、前記基板の先端部側に、前記基板を幅方向に沿って切断する位置を示す切断位置指示部を有することを特徴とする。
【０００７】
請求項２に記載の発明は、請求項１に記載のプリント基板であって、前記切断位置指示部は、前記基板の側部を切り欠いて設けられることを特徴とする。
【０００８】
請求項３に記載の発明は、請求項１又は２に記載のプリント基板を備える電子機器を特徴とする。
【発明の効果】
【０００９】
本発明によれば、設計時点で千鳥状の端子の位置を間違えてしまっても、その設計で生産したプリント基板の全てが使えるようになる。
【発明を実施するための最良の形態】
【００１０】
以下、図を参照して本発明を実施するための最良の形態を詳細に説明する。
図１はコネクタの一例としての概略構成を示したもので、このコネクタ１は、接触位置をずらした第一の接点１１と第二の接点１２を上下一対ずつ交互に備えて、挿入されるフレキシブルプリント基板の端子面が表裏いずれの面でも接続することが対応可能となっている。
図２に示すように、フレキシブルプリント基板（以下、ＦＰＣ（Flexible Printed Circuit）と呼ぶ）２は、コネクタ１に挿入した状態でカムレバー１３を倒すことで接続状態にロックされる。
【００１１】
（実施形態１）
図３は本発明を適用した実施形態１の構成を示すもので、ＦＰＣ２は、正常に設計されて図示しない携帯電話に組み込まれるもので、図示のように、露出する第一の端子２１と第二の端子２２を基板幅方向に同ピッチで交互に配置して備えている。また、ＦＰＣ２の第一の端子２１及び第二の基板２２以外は絶縁被覆部２５となっている。
【００１２】
第一の端子２１は、基板先端部に向かって幅狭部２１ａ、幅広部２１ｂ、幅狭部２１ｃの順で連続する形状に形成されている。第二の端子２２は、基板先端部に向かって幅広部２２ａ、幅狭部２２ｂ、幅広部２２ｃ、幅狭部２２ｄの順で連続する形状に形成されている。従って、第一の端子部２１の幅広部２１ｂと、第二の端子部２２の幅広部２２ａ・２２ｃとが、千鳥状に配置されている。同様に、第一の端子部２１の幅狭部２１ａ・２１ｃと、第二の端子部２２の幅狭部２２ｂ・２２ｄも、千鳥状に配置されている。
【００１３】
なお、図示例では、コネクタ１の第一の接点１１及び第二の接点１２と、ＦＰＣ２の第一の端子２１及び第二の端子２２を、部分的に省略して示している。また、図示例において、左外側の第二の端子２２は、絶縁被覆部２５側の幅広部２２ａ、幅狭部２２ｂに代わって一様な中間幅部２２ｅとなっている。
【００１４】
そして、ＦＰＣ２の両側部には、基板先端部において、第一の端子２１の幅狭部２１ｃと第二の端子２２の幅広部２２ｃを幅方向に沿って切断するための位置を示す切り欠いた形状による切断位置指示部２６が形成されている。
【００１５】
図４はコネクタ１へのＦＰＣ２の挿入状態を示したもので、図示のように、コネクタ１の第一の接点１１が、ＦＰＣ２の第一の端子２１の幅広部２１ｂ上に位置するとともに、第二の接点１２が第二の端子２２の基板先端部側の幅広部２２ｃ上に位置した状態となっている。従って、千鳥状の幅広部２１ｂ・２２ｃによる良好なコネクタ端子接続状態が得られる。
【００１６】
（実施形態２）
図５は本発明を適用した実施形態２の構成を示すもので、前述した実施形態１と同様、１はコネクタ、１１は第一の接点、１２は第二の接点、２はＦＰＣ、２１は第一の端子、２１ａは幅狭部、２１ｂは幅広部、２１ｃは幅狭部、２２は第二の端子、２２ａは幅広部、２２ｂは幅狭部、２２ｃは幅広部、２２ｄは幅狭部、２５は絶縁被覆部、２６は切断位置指示部である。
【００１７】
すなわち、図示のように、実施形態２は、実施形態１と同様に正常に設計されたＦＰＣ２で、第一の端子部２１の幅広部２１ｂと、第二の端子部２２の幅広部２２ａ・２２ｃとが、千鳥状に配置されている。同様に、第一の端子部２１の幅狭部２１ａ・２１ｃと、第二の端子部２２の幅狭部２２ｂ・２２ｄも、千鳥状に配置されている。なお、この場合、実施形態１とは異なり、左外側は第一の端子２１となっている。
【００１８】
図６はコネクタ１へのＦＰＣ２の挿入状態を示したもので、図示のように、コネクタ１の第一の接点１１が、ＦＰＣ２の第二の端子２２の幅狭部２２ｂ上に位置するとともに、第二の接点１２が第一の端子２１の基板先端部側の幅狭部２１ａ上に位置した状態となっている。従って、千鳥状の幅狭部２１ｃ・２２ｂによるコネクタ端子接続状態が得られる。
【００１９】
ところで、ＦＰＣ２の端子に設計ミスがあると、コネクタ１への挿入で接触不良を起こしてしまう。
以下に、設計ミスによる接触不良の場合を説明する。
【００２０】
（実施形態３）
図７は本発明を適用した実施形態３の構成を示すもので、設計ミスによるＦＰＣ２を示しており、前述した実施形態１・２と同様に、第一の端子部２１の幅広部２１ｂと、第二の端子部２２の幅広部２２ａ・２２ｃとが、千鳥状に配置されている。同様に、第一の端子部２１の幅狭部２１ａ・２１ｃと、第二の端子部２２の幅狭部２２ｂ・２２ｄも、千鳥状に配置されている。
【００２１】
図８はコネクタ１へのＦＰＣ２の挿入状態を示したもので、図示のように、コネクタ１の第一の接点１１が、ＦＰＣ２の第一の端子２１の幅広部２１ｂと第二の端子２２の幅狭部２２ｂ上とに跨って位置するとともに、第二の接点１２が第一の端子２１の基板先端部側の幅狭部２１ｃ上と第二の端子２２の基板先端部側の幅広部２２ｃ上とに跨って位置した状態となっている。従って、接触不良となる。
【００２２】
このような接触不良を起こす場合には、ＦＰＣ２の基板先端部を切断位置指示部２６に沿って幅方向に切断することで対応する。
【００２３】
すなわち、図９は図７のＦＰＣ２の基板先端部を切断位置指示部２６に沿って切断した状態を示したもので、図示のように、第一の端子２１の幅狭部２１ｃの中間部から先と第二の端子２２の幅広部２２ｃの中間部から先を切り落としている。
【００２４】
図１０はコネクタ１へのＦＰＣ２の挿入状態を示したもので、図示のように、コネクタ１の第一の接点１１が、ＦＰＣ２の第二の端子２２の幅広部２２ａ上に位置するとともに、第二の接点１２が第一の端子２１の幅広部２１ｂ上に位置した状態となっている。従って、千鳥状の幅広部２１ｂ・２２ａによる良好なコネクタ端子接続状態が得られる。
【００２５】
以上、実施形態のＦＰＣ２によれば、接触不良を起こす場合には、ＦＰＣ２の基板先端部を切断位置指示部２６に沿って幅方向に切断することで対応できるため、設計時点で千鳥状の端子、すなわち、第一及び第二の端子２１・２２の幅広部２１ｂ・２２ａ・２２ｃの位置を間違えてしまっても、その設計で生産したＦＰＣ２の全てが使えるようになる。
【００２６】
（変形例）
なお、以上の実施形態においては、携帯電話に適用したが、本発明はこれに限定されるものではなく、携帯電話以外にカメラ、ＰＤＡ、ノートパソコン、ウェアラブルパソコン、電卓、電子辞書など、すべての電子機器に用いることができる。
また、実施形態ではＦＰＣとしたが、ハード基板によるプリント基板にも本発明は適用可能である。
【００２７】
そして、切断位置指示部は、例えば線、点線などの印刷による マークでもよい。
さらに、切断位置指示部は切断可能なミシン目であってもよい。
また、コネクタの構成等も任意であり、その他、具体的な細部構造等についても適宜に変更可能であることは勿論である。
【図面の簡単な説明】
【００２８】
【図１】コネクタの一例としての概略構成を示した斜視図である。
【図２】図１のコネクタにプリント基板を挿入して接続した状態を示した斜視図である。
【図３】本発明を適用した実施形態１の構成を示すもので、正常に設計されたプリント基板のコネクタへの挿入前の状態を示した平面図である。
【図４】図３のプリント基板のコネクタへの挿入状態を示した平面図である。
【図５】本発明を適用した実施形態２の構成を示すもので、正常に設計されたプリント基板のコネクタへの挿入前の状態を示した平面図である。
【図６】図５のプリント基板のコネクタへの挿入状態を示した平面図である。
【図７】本発明を適用した実施形態３の構成を示すもので、設計ミスによるプリント基板のコネクタへの挿入前の状態を示した平面図である。
【図８】図７のプリント基板のコネクタへの挿入状態を示した平面図である
【図９】図７のプリント基板を切断した状態を示した平面図である。
【図１０】図９のプリント基板のコネクタへの挿入状態を示した平面図である
【符号の説明】
【００２９】
１  コネクタ
１１  第一の接点
１２  第二の接点
２  プリント基板
２１  第一の端子
２１ａ  幅狭部（第一の幅部）
２１ｂ  幅広部
２１ｃ  幅狭部
２２  第二の端子
２２ａ  幅広部
２２ｂ  幅狭部
２２ｃ  幅広部
２２ｄ  幅狭部
２５  絶縁被覆部
２６  切断位置指示部
【図１】
0005169308.tif 000002
【図２】
0005169308.tif 000003
【図３】
0005169308.tif 000004
【図４】
0005169308.tif 000005
【図５】
0005169308.tif 000006
【図６】
0005169308.tif 000007
【図７】
0005169308.tif 000008
【図８】
0005169308.tif 000009
【図９】
0005169308.tif 000010
【図１０】
0005169308.tif 000011